(57)【要約】【課題】本発明は、簡単な構造で省施工省スペースを目指す住宅用分電盤を提供することを目的としている。【解決手段】本発明に係る住宅用分電盤４は、基台１には側壁を形成せず、住宅用分電盤４設置後、基台１には隣接して増設ユニット７の小基台６を取り付け可能とし、基台１と増設ユニット７の小基台６とをひとつのカバー８で施蓋することを特徴とし、従来のように別にキャビネットを設ける必要がなくなり、省施工省スペースが実現できる。【選択図】図１
2007006630.tif 000002
【特許請求の範囲】
【請求項１】
基台に主幹ブレーカや分岐ブレーカ等の電気機器を収納し、前記基台の前面はカバー等で施蓋して成る住宅用分電盤において、前記基台には側壁を形成せず、前記住宅用分電盤設置後、前記基台には隣接して増設ユニットの小基台を取り付け可能とし、前記基台と前記増設ユニットの小基台とをひとつのカバーで施蓋することを特徴とする住宅用分電盤。
【発明の詳細な説明】
【技術分野】
【０００１】
本発明は、基台に主幹ブレーカや分岐ブレーカ等の電気機器を収納し、基台の前面はカバー等で施蓋して成る住宅用分電盤に関するものである。
【背景技術】
【０００２】
従来、住宅に太陽光発電やガス発電、時間帯別用契約の温水器等を増設する場合、既設の住宅用分電盤３１の他に増設した回路と接続される回路遮断器３２を収めたキャビネット３３を住宅用分電盤３１の近傍に設置していた。
【０００３】
または、既設の住宅用分電盤を、それら増設した回路を含んだ住宅用分電盤に交換していた。
【非特許文献１】２００５カワムラ総合カタログ電設資材編  平成１７年５月１日発行
【発明の開示】
【発明が解決しようとする課題】
【０００４】
しかしながら、上記従来技術によれば、既設の住宅用分電盤３１とは別にキャビネット３３を設置すると、キャビネット間３１、３３をまたぐ配線工事となり、煩雑で施工時間も多くかかるという欠点があった。また、設置スペースが多く必要となっていた。それから、住宅用分電盤のキャビネット３１、３３が複数に別れてしまうため、外観を損ねてしまう。
【０００５】
既設の住宅用分電盤を、増設した回路を含む新しい住宅用分電盤に交換するには、費用が多くかかると共に、既設の住宅用分電盤が不用になってしまうという欠点があった。
【課題を解決するための手段】
【０００６】
そこで本発明は、簡単な構造で省施工省スペースを目指す住宅用分電盤を提供することを目的とし、その構造は、基台には側壁を形成せず、住宅用分電盤設置後、基台には隣接して増設ユニットの基台を取り付け可能とし、基台と増設ユニットの基台とをひとつのカバーで施蓋することを特徴とする。
【発明の効果】
【０００７】
本発明に係る住宅用分電盤は、基台には側壁を形成せず、住宅用分電盤設置後、基台には隣接して増設ユニットの小基台を取り付け可能とし、基台と増設ユニットの小基台とをひとつのカバーで施蓋するため、既設の住宅用分電盤に増設した部分を組み込むことにより外観を損なわずに住宅用分電盤を提供できる。また、ひとつの基台上で配線が行えるため、省施工、省スペースの住宅用分電盤を提供できる。
【発明を実施するための最良の形態】
【０００８】
簡単な構造で、省施工、省スペースの住宅用分電盤を適用するという目的を、簡単な構造で美観を損なわず実現した。
【実施例１】
【０００９】
本発明に係る住宅用分電盤の実施例を図１の添付図面に基づいて説明する。
【００１０】
基台１に主幹ブレーカ２や分岐ブレーカ３等の電気機器を配置し住宅用分電盤４を構成する。住宅用分電盤４は住宅の壁面に固定して用いられる。基台１は、側壁を形成せず、住宅の壁面に面一に取り付けられる。
【００１１】
一旦住宅用分電盤４を設置してから、住宅に、太陽光発電やガス発電、時間帯別契約の温水器等を増設する場合、増設した機器が接続される回路遮断器５を側壁のない小基台６に収納し増設ユニット８を形成すると共に、既設の住宅用分電盤４の基台１に隣接させて増設ユニット７を設置する。
【００１２】
既設の住宅用分電盤４の基台１と増設ユニット７の小基台６それぞれには側壁が形成されていないため、隣接して設置したとき、同じ基台に配置されているのと同様の状態となり、同一の住宅用分電盤として配線作業が行え、配線作業の効率を上げることができる。
【００１３】
基台１の前面は一つのカバー８で施蓋する。カバー８には基台に配置されるブレーカ等の操作ハンドル９が突出可能であるように操作窓１０を形成し、カバー８をした状態で充電部を保護しながら回路の操作が行えるようになっている。住宅用分電盤４は分岐ブレーカ３が配置された部分の近傍にその他の機器を配置するためのフリースペースが設けられる場合もあるので、そのフリースペースに対向させて増設ユニットを形成すると、フリースペースが設けられた住宅用分電盤の枠体やカバーを共用することも可能である。
【実施例２】
【００１４】
図１では横長の基台１に電気機器を配置した横型住宅用分電盤４で本発明の実施例を説明したが、図２に示すように、縦長の基台１１に電気機器を配置した縦形住宅用分電盤１２にも実施可能である。
【００１５】
縦長の基台１１の上方に主幹ブレーカ１３を配置し、その下位に分岐ブレーカ１４を配列され構成される住宅用分電盤１２が設置されている。基台１１は側壁を形成せず、住宅の壁面と面一に設置される。
【００１６】
一旦住宅用分電盤１２を設置してから、住宅に、太陽光発電やガス発電、時間帯別契約の温水器等を増設する場合、増設した機器に接続される回路遮断器１５を側壁のない小基台１６に収納し増設ユニット１７を形成すると共に、既設の住宅用分電盤１２の下方に隣接させて増設ユニット１７を設置させる。
【００１７】
既設の住宅用分電盤１２の基台１１と増設ユニット１７の小基台１６それぞれには側壁が形成されていないため、隣接して設置した時、同じ基台に配置されているのと同様の状態となり、同一の住宅用分電盤として配線作業が行え、配線作業の効率を上げることができる。
【００１８】
基台１１の前面は一つのカバー１８で施蓋する。カバー１８には基台に配置されるブレーカ等の操作ハンドル１９が突出可能であるように操作窓２０を形成し、カバー１８をした状態で充電部を保護しながら回路の操作が行えるようになっている。住宅用分電盤１２は分岐ブレーカ１４が配置された部分の近傍にその他の機器を配置するためのフリースペースが設けられる場合もあるので、そのフリースペースに対向させて増設ユニットを形成すると、フリースペースが設けられた住宅用分電盤の枠体やカバーを共用することも可能である。
【産業上の利用可能性】
【００１９】
住宅用分電盤には側壁を設けず設置するため、追加で他に回路を増設する場合、既設の住宅用分電盤に隣接させて増設ユニットが設置でき、省施工省スペースにて実施できると共に、既設の住宅用分電盤がまだ新しい場合にはより効果的である。
【図面の簡単な説明】
【００２０】
【図１】本発明に係る住宅用分電盤の実施例を示した説明図である。（実施例１）
【図２】本発明に係る住宅用分電盤の実施例を示した説明図である。（実施例２）
【図３】住宅用分電盤の従来例を示した説明図である。
【符号の説明】
【００２１】
１    基台
２    主幹ブレーカ
３    分岐ブレーカ
４    住宅用分電盤
５    回路遮断器
６    小基台
７    増設ユニット
８    カバー
９    操作ハンドル
１０  操作窓
１１  基台
１２  住宅用分電盤
１３  主幹ブレーカ
１４  分岐ブレーカ
１５  回路遮断器
１６  小基台
１７  増設ユニット
１８  カバー
１９  操作ハンドル
２０  操作窓
【図１】
2007006630.tif 000003
【図２】
2007006630.tif 000004
【図３】
2007006630.tif 000005